(57)【要約】      （修正有）【課題】  薄型の光ディスクドライブを提供する。【解決手段】  スリム型光ディスクドライブは、光ディスクを回転させるスピンドルモータと、光ディスクにアクセスされる光ピックアップと、コンピュータ１００と連結される連結ボードを具備する駆動ユニット２００と、駆動ユニット２００と分離されたものであって、コンピュータ１００のインターフェース装置を通じて連結ボードと連結されて駆動ユニット２００を制御する制御ボード３００と、を含む。これにより、制御ボード３００と駆動ユニット２００とを分離することによってスリム型光ディスクドライブの薄型化を実現できるだけでなく、これを装着する携帯用コンピュータ１００の薄型化にも応じうる。また、携帯用コンピュータだけでなくデスクトップコンピュータにも使われうる。【選択図】  図２
2004213876.tif 000002
【特許請求の範囲】
【請求項１】
光ディスクを回転させるスピンドルモータと、前記光ディスクにアクセスされる光ピックアップと、コンピュータと連結される連結ボードとを具備する駆動ユニットと、
前記駆動ユニットと分離されたものであって、前記コンピュータのインターフェース装置を通じて前記連結ボードと連結されて前記駆動ユニットを制御する制御ボードと、を含む光ディスクドライブ。
【請求項２】
前記インターフェース装置はＰＣＭＣＩＡスロットであることを特徴とする請求項１に記載の光ディスクドライブ。
【請求項３】
前記インターフェース装置はＵＳＢであることを特徴とする請求項１に記載の光ディスクドライブ。
【請求項４】
前記駆動ユニットは前記コンピュータの装着部に挿入されることを特徴とする請求項１に記載の光ディスクドライブ。
【請求項５】
前記駆動ユニットは前記コンピュータの外部に設置され、前記コンピュータの装着部と前記連結ボードとを互いに連結するケーブルによって前記コンピュータと連結されることを特徴とする請求項１に記載の光ディスクドライブ。
【請求項６】
前記制御ボードは前記インターフェース装置に直接挿入されることを特徴とする請求項１に記載の光ディスクドライブ。
【請求項７】
前記制御ボードはケーブルによって前記インターフェース装置と連結されることを特徴とする請求項１に記載の光ディスクドライブ。
【発明の詳細な説明】
【技術分野】
【０００１】
本発明は光ディスクドライブに係り、特にコンピュータと連結される光ディスクドライブに関する。
【背景技術】
【０００２】
一般的に光ディスクドライブは、ＣＤまたはＤＶＤ等の光ディスクに同心型のトラックよりなる記録面に／から情報を記録／再生する装置であって、回転する光ディスクの記録面に光ディスクの半径方向に摺動する光ピックアップからビームを放射して情報を記録／再生する。特に、スリム型光ディスクドライブはノート型パソコンなどの携帯用コンピュータに使われるために非常に薄く製作される。
【０００３】
図１は従来のスリム型光ディスクドライブを示した斜視図である。
図１を見れば、下部ケース１０にトレー２０が摺動するように設置される。トレー２０には光ディスクＤを回転させるスピンドルモータ３０と、回転される光ディスクＤの半径方向に摺動しつつ光ディスクＤにアクセスして情報を記録／再生する光ピックアップ５０と、が設置される。下部ケース１０には光ディスクドライブの作動を制御する主制御ボード６０が設置され、ＦＰＣ（ｆｌｅｘｉｂｌｅ ｐｒｉｎｔｅｄ ｃｉｒｃｕｉｔ）７０によりトレー２０に設置された光ピックアップ５０及びスピンドルモータ３０と連結される。ＦＰＣ７０はトレー２０が摺動するにつれてトレー２０と下部ケース１０との間の空間でスムーズに折畳まれるか伸ばされる。主制御ボード６０には携帯用コンピュータと連結されるためのコネクタ８０が設けられる。
【０００４】
スリム型光ディスクドライブの厚さに影響を及ぼす重要な要因として、トレー２０に搭載される光ピックアップ５０をはじめとする駆動部品の厚さ及び、このような駆動部品を制御するための主制御ボードの厚さが挙げられる。特に、主制御ボードはトレーと下部ケースとの間に装着されるために、その上下面に実装される電気／電子部品の厚さが増加すれば、これは直ちにスリム型光ディスクドライブの厚さの増加をもたらす。
【発明の開示】
【発明が解決しようとする課題】
【０００５】
本発明は前記問題点を解決するために創出されたものであって、制御ボードと駆動ユニットとを分離することによって携帯用コンピュータのスリム化に応じうる光ディスクドライブを提供するところにその目的がある。
【課題を解決するための手段】
【０００６】
前述した目的を達成するための本発明の光ディスクドライブは、光ディスクを回転させるスピンドルモータと、前記光ディスクにアクセスされる光ピックアップと、コンピュータと連結される連結ボードを具備する駆動ユニットと、前記駆動ユニットと分離されたものであって、前記コンピュータのインターフェース装置を通じて前記連結ボードと連結されて前記駆動ユニットを制御する制御ボードと、を含む。
【発明の効果】
【０００７】
本発明による光ディスクドライブによれば、制御ボードと駆動ユニットとを分離することによってスリム型光ディスクドライブの薄型化を実現できるだけでなく、これを装着する携帯用コンピュータの薄型化にも応じうる。また、携帯用コンピュータだけでなくデスクトップコンピュータにも使われうる。
【発明を実施するための最良の形態】
【０００８】
以下添付した図面を参照しながら本発明の望ましい実施例を詳細に説明する。
図２は本発明による光ディスクドライブの一実施例を示した概略的な斜視図であり、図３は図２に図示された駆動ユニットを詳細に示した斜視図である。
【０００９】
図２を見れば、携帯用コンピュータ１００には、スリム型光ディスクドライブが装着される装着部１２０とＰＣＭＣＩＡ（ｐｅｒｓｏｎａｌ ｃｏｍｐｕｔｅｒ ｍｅｍｏｒｙ ｃａｒｄ ｉｎｔｅｒｎａｔｉｏｎａｌ ａｓｓｏｃｉａｔｉｏｎ）カードが装着される少なくとも一つのＰＣＭＣＩＡスロット１１０とが設けられる。本実施例の光ディスクドライブは、前記装着部１２０に装着されるようにスリム型に製作された駆動ユニット２００と、この駆動ユニット２００を制御するものであってＰＣＭＣＩＡスロット１１０に装着される制御ボード３００と、を含む。
【００１０】
図３を見れば、駆動ユニット２００はスピンドルモータ２３０と光ピックアップ２５０とを含み、その外観の寸法は携帯用コンピュータに装着されるように規格に合わせて製作される。スピンドルモータ２３０及び光ピックアップ２５０は下部ケース２１０に図面の矢印Ａ方向に摺動するように設置されるトレー２２０に設置される。トレー２２０には、光ピックアップ２５０を光ディスクＤの半径方向に摺動させる駆動モータ２４０がさらに設置される。スピンドルモータ２３０は光ディスクＤを回転させるものであって、その回転軸にターンテーブル２３１が設置されている。光ディスクＤはターンテーブル２３１に載置される。光ピックアップ２５０は、駆動モータ２４０により駆動して光ディスクＤの半径方向に摺動しつつ光ディスクＤの記録面にアクセスして情報を記録／再生する。
【００１１】
駆動ユニット２００には連結ボード２６０がさらに備えられる。連結ボード２６０はスピンドルモータ２３０、光ピックアップ２５０、駆動モータ２４０など駆動ユニット２００に備えられた制御要素とＦＰＣ２７０を通じて連結される。連結ボード２６０には携帯用コンピュータ１００と連結されるコネクタ２６１が備えられる。駆動ユニット２００は、連結ボード２６０を通じて制御ボード３００及び携帯用コンピュータ１００と電気的に連結される。連結ボード２６０は駆動ユニット２００を制御ボード３００及び携帯用コンピュータ１００と連結するための最小限の機能だけを提供するために、従来の制御ボード（図１の６０）より小さく製作できる。
【００１２】
制御ボード３００は駆動ユニット２００を制御するものであって、駆動ユニット２００内に内蔵されるものではなく携帯用コンピュータ１００のＵＳＢ（ｕｎｉｖｅｒｓａｌ ｓｅｒｉａｌ ｂｕｓ）ポート、ＰＣＭＣＩＡスロットなどのインターフェース装置に装着される。本実施例の制御ボード３００はＰＣＭＣＩＡスロットに装着されるようにＰＣＭＣＩＡカードタイプに製作される。
【００１３】
ＰＣＭＣＩＡカードは、ノート型パソコンで使われるクレジットカードサイズのアダプターカードに対する標準を定めるコンピュータ製造企業協会であるパソコンメモリーカード国際協会により規格化されたものであって、３つのタイプが定義されている。まずタイプＩは厚さ３．３ｍｍでＲＡＭ、ＲＯＭ拡張カードに主に使われ、タイプＩＩは厚さ５．５ｍｍでモデム等に多く使われ、タイプＩＩＩは最大厚さ１０．５ｍｍで小型ハードディスクに使われる。
【００１４】
制御ボード３００は、駆動ユニット２００を制御する機能を含んで厚さをいかほどに薄くするかによってタイプＩ、タイプＩＩ、タイプＩＩＩのうち適切なタイプに製作できる。制御ボード３００は携帯用コンピュータ１００のＰＣＭＣＩＡスロット２１０に装着されることによって駆動ユニット２００と連結されて駆動ユニット２００の動作を制御する。
【００１５】
駆動ユニット２００及び制御ボード３００が装着部１２０及びＰＣＭＣＩＡスロット１１０に各々装着されれば、駆動ユニット２００及び制御ボード３００は携帯用コンピュータ１００に備えられた制御バス及びデータバスを通じて相互連結される。駆動ユニット２００及び制御ボード３００はコンピュータ１００内に備えられるケーブル（図示せず）などの別途の連結手段により相互連結されることもある。
【００１６】
このような構成により、制御ボード３００がＰＣＭＣＩＡスロット１１０に装着されれば携帯型コンピュータ１００のＣＰＵ（図示せず）はこれを光ディスクディスクドライブと認識する。ＣＰＵから記録／再生信号が入力されれば、制御ボード３００は駆動ユニット２００を駆動して情報を光ディスクＤに／から記録／再生する。
【００１７】
駆動ユニット２００は、装着部１２０に挿入されずに別途のケーブル（図示せず）を通じて携帯用コンピュータ１００と連結されることもある。また、制御ボード３００もＰＣＭＣＩＡスロット１１０に挿入されずに別途のケーブル（図示せず）によってＰＣＭＣＩＡスロット１１０と連結されることもある。
【００１８】
前述したように、制御ボード３００を駆動ユニット２００と別途に製作すれば駆動ユニット２００の薄型化に有利である。なぜなら、駆動ユニット２００に装着される連結ボード２６０は、駆動ユニット２００と制御ボード３００及び携帯用コンピュータ１００を連結するための最小限の機能だけを行えばよいので、その大きさ及び厚さが従来の制御ボード（図１の６０）に比べて小さくなるからである。
【００１９】
最近ではスリム型光ディスクドライブがＣＤ−ＲＯＭの再生だけでなくＣＤ−ＲＷの記録／再生及びＤＶＤ−ＲＯＭの再生機能まで兼ねる傾向にある。この場合、複合的な機能を行うために制御ボードに多くの部品が実装されてその厚さが厚くなる。これにより、これを装着するための携帯用コンピュータも厚くなって最近の携帯用コンピュータの薄型化に応じられなくなる。しかし、本発明によるスリム型光ディスクドライブによれば、制御ボードが駆動ユニットと分離されてＰＣＭＣＩＡスロットに装着され、駆動ユニットには制御ボードとの連結のための最小限の機能だけを有する連結ボードだけ備えられればよいので、少なくとも制御ボードの厚さの増加は駆動ユニットの厚さの増加に影響を及ぼさない。
【００２０】
また、従来のスリム型光ディスクドライブの場合、スピンドルモータ、光ピックアップ、駆動モータなどの小型／薄型化により製品の厚さを薄められる要因が生じても制御ボードの厚さを共に薄められなければ製品の厚さを薄められない。しかし、本発明によるスリム型光ディスクドライブによれば、制御ボードが駆動ユニットと分離されているために、前記のような場合には直ちに駆動ユニットの厚さを薄められる。したがって、携帯用コンピュータの薄型化に応じられる。
【００２１】
また、前述したようにＰＣＭＣＩＡスロットは３つのタイプがあって制御ボードの厚さは最大１０．５ｍｍまでに薄められる。さらに、制御ボードはＰＣＭＣＩＡスロットに装着されればよく、必ずしもスロット内部に完全に挿入される必要はない。すなわち、場合によって制御ボードの一部はＰＣＭＣＩＡスロットの外に露出されてもよい。したがって、スリム型光ディスクドライブが多機能化されてもその機能を収容するための制御ボードの大きさは事実上制限がないといえる。
【００２２】
前述した実施例では、駆動ユニットが内蔵型に設計されて携帯用コンピュータに装着される場合を説明した。しかし、本発明による光ディスクドライブはこれに限定されない。図面に図示しなかったが、駆動ユニットは携帯型コンピュータに装着されずに連結ケーブルなどの別途の連結手段（図示せず）により制御ボードと連結される外装型である場合もある。この場合、駆動ユニットの厚さ及び大きさは携帯型コンピュータに全く影響を及ぼさない。
【００２３】
本発明による光ディスクドライブは携帯用コンピュータだけでなく、ＵＳＢポート、ＰＣＭＣＩＡスロットなどのインターフェース装置が設けられたデスクトップコンピュータにも使われる。
【００２４】
本発明は前記の説明及び図面の例示に限定されることではなく、特許請求の範囲内でさらに多くの変形及び変更例が可能である。
【産業上の利用可能性】
【００２５】
本発明は携帯型コンピュータ、デスクトップコンピュータに装着される光ディスクドライブに適用できる。
【図面の簡単な説明】
【００２６】
【図１】従来のスリム型光ディスクドライブを示した平面図である。
【図２】本発明による光ディスクドライブの一実施例を示した概略的な斜視図である。
【図３】図２に図示された駆動ユニットを詳細に示した斜視図である。
【符号の説明】
【００２７】
１００  携帯用コンピュータ
１１０  ＰＣＭＣＩＡスロット
１２０  光ディスクドライブ装着部
２００  駆動ユニット
３００  制御ボード
【図１】
2004213876.tif 000003
【図２】
2004213876.tif 000004
【図３】
2004213876.tif 000005